(57)【要約】      （修正有）【課題】勾配受け構造の地下構造物用の円形蓋は、蓋本体の荷重過剰食い込みまたは錆付きにより開蓋作業が困難になる等の問題点を解決する。【解決手段】円形状の受け枠１と、受け枠の上部開口を開閉する蓋本体２とで構成される地下構造用円形蓋において、受け枠１内周面を上部より内側に向かう階段状の５面に形成し、最上部の第１面を垂直面に対して１０°〜１５°の角度に設定し、第２面、第４面の傾斜角度は第１面の傾斜角度より大きく設定し、第３面、第５面はほぼ垂直面に設定し、それぞれの面を滑らかに接続し、蓋本体２の外周面は前記受け枠内周面に嵌合するように５面に形成し、受け枠１の第１面と蓋本体の第１面とは完全に嵌合する直径および傾斜角度に設定し、蓋本体２の第２面と第４面は受け枠１との間隙が１〜２ｍｍとなる傾斜角度に設定し、蓋本体２の第３面と第５面は受け枠との間隙が０．５ｍｍ以下となるほぼ垂直面に設定した。【選択図】図４
2008285911.tif 000002
【特許請求の範囲】
【請求項１】
円形状の受け枠と、受け枠の上部開口を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の５面に形成し、最上部の第１面を垂直面に対して１０°〜１５°の角度に設定し、第２面の傾斜角度は第１面の傾斜角度より大きく設定し、第３面はほぼ垂直面に設定し、第４面は第２面の傾斜角度とほぼ同じ傾斜角度に設定し、第５面はほぼ垂直面に設定し、それぞれの面を滑らかに接続し、蓋本体の外周面は前記受け枠内周面に嵌合するように５面に形成し、受け枠の第１面と蓋本体の第１面とは完全に嵌合する直径および傾斜角度に設定し、蓋本体の第２面と第４面は受け枠との間隙が１〜２ｍｍとなる傾斜角度に設定し、蓋本体の第３面と第５面は受け枠との間隙が０．５ｍｍ以下となるほぼ垂直面に設定した地下構造物用円形蓋。
【請求項２】
円形状の受け枠と、受け枠の上部開口を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の３面に形成し、最上部の第１面を垂直面に対して１０°〜１５°の角度に設定し、第２面の傾斜角度は第１面の傾斜角度より大きく設定し、第３面はほぼ垂直面に設定し、それぞれの面を滑らかに接続し、蓋本体の外周面は前記受け枠内周面に嵌合するように３面に形成し、受け枠の第１面と蓋本体の第１面とは完全に嵌合する直径および傾斜角度に設定し、蓋本体の第２面は受け枠との間隙が１〜２ｍｍとなる傾斜角度に設定し、蓋本体の第３面は受け枠との間隙が０．５ｍｍ以下となるほぼ垂直面に設定した地下構造物用円形蓋。
【発明の詳細な説明】
【技術分野】
【０００１】
本発明は、円形の蓋本体と、これを上部内周面で支持する受け枠を蝶番で連結してなる地下構造物用円形蓋に関するものである。
【背景技術】
【０００２】
従来の地下構造物用円形蓋は、図１に示すように、蓋本体１０１と受け枠１０２の嵌合面全体を、垂直平面に対して５°〜１０°の同一傾斜角度とし、蓋本体１０１のガタツキ、振動による騒音および蓋本体１０１のずり上がりが起こらない勾配受け構造の蓋本体１０１が多い。
【０００３】
しかし、上記の蓋本体１０１は、設置環境によっては受け枠１０２に食い込むことで蓋本体１０１が開かなくなったり、受け枠と蓋本体の錆付きにより開蓋作業が困難になる欠点があった。
【０００４】
嵌合面の傾斜角度を１０°以上にすると、蓋本体の周辺部の一箇所に荷重がかかった時に、荷重のかかった反対側に蓋本体がずり上がる現象が起こるので、１０°を超える傾斜角度とすることが出来なかった。
【特許文献１】特開昭５３−０７２３５７号公報
【特許文献２】特開２００５−０４８４７９号公報
【発明の開示】
【発明が解決しようとする課題】
【０００５】
勾配受け構造の地下構造物用の円形蓋は、蓋本体の過剰食い込みまたは錆付きにより開蓋作業が困難になる等の問題点がある。
【課題を解決するための手段】
【０００６】
本発明は、上記の事情に鑑み、地下構造物用円形蓋本体が、受け枠に過剰に食い込み蓋本体が開かなくなる、錆付きにより開蓋作業が困難であるなどの問題点を解決するべく、円形状の受け枠と、受け枠の上部開口を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の５面に形成し、最上部の第１面を垂直面に対して１０°〜１５°の角度に設定し、第２面の傾斜角度は第１面の傾斜角度より大きく設定し、第３面はほぼ垂直面に設定し、第４面は第２面の傾斜角度とほぼ同じ傾斜角度に設定し、第５面はほぼ垂直面に設定し、それぞれの面を滑らかに接続し、蓋本体の外周面は前記受け枠内周面に嵌合するように５面に形成し、受け枠の第１面と蓋本体の第１面とは完全に嵌合する直径および傾斜角度に設定し、蓋本体の第２面と第４面は受け枠との間隙が１〜２ｍｍとなる傾斜角度に設定し、蓋本体の第３面と第５面は受け枠との間隙が０．５ｍｍ以下となるほぼ垂直面に設定した地下構造物用円形蓋とした。
【０００７】
また、本発明は、地下構造物用円形蓋本体が、受け枠に過剰に食い込み蓋本体が開かなくなる、錆付きにより開蓋作業が困難であるなどの問題点を解決するべく、円形状の受け枠と、受け枠の上部開口を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の３面に形成し、最上部の第１面を垂直面に対して１０°〜１５°の角度に設定し、第２面の傾斜角度は第１面の傾斜角度より大きく設定し、第３面はほぼ垂直面に設定し、それぞれの面を滑らかに接続し、蓋本体の外周面は前記受け枠内周面に嵌合するように３面に形成し、受け枠の第１面と蓋本体の第１面とは完全に嵌合する直径および傾斜角度に設定し、蓋本体の第２面は受け枠との間隙が１〜２ｍｍとなる傾斜角度に設定し、蓋本体の第３面は受け枠との間隙が０．５ｍｍ以下となるほぼ垂直面に設定した地下構造物用円形蓋とした。
【発明の効果】
【０００８】
本発明は、円形状の受け枠と、受け枠の上部開口を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の５面に形成し、最上部の第１面を垂直面に対して１０°〜１５°の角度に設定し、第２面の傾斜角度は第１面の傾斜角度より大きく設定し、第３面はほぼ垂直面に設定し、第４面は第２面の傾斜角度とほぼ同じ傾斜角度に設定し、第５面はほぼ垂直面に設定し、それぞれの面を滑らかに接続し、蓋本体の外周面は前記受け枠内周面に嵌合するように５面に形成し、受け枠の第１面と蓋本体の第１面とは完全に嵌合する直径および傾斜角度に設定し、蓋本体の第２面と第４面は受け枠との間隙が１〜２ｍｍとなる傾斜角度に設定し、蓋本体の第３面と第５面は受け枠との間隙が０．５ｍｍ以下となるほぼ垂直面に設定した地下構造物用円形蓋であるので、地下構造物用円形蓋本体が、受け枠に過剰に食い込み蓋本体が開かなくなる、錆付きにより開蓋作業が困難であるなどの問題点を解決することができる。
【０００９】
また、本発明は、円形状の受け枠と、受け枠の上部開口を開閉する蓋本体と、受け枠と蓋本体とを連結する蝶番と、蓋本体の蝶番と対向する周縁にバール孔を刻設した地下構造用円形蓋において、受け枠内周面を上部より内側に向かって階段状の３面に形成し、最上部の第１面を垂直面に対して１０°〜１５°の角度に設定し、第２面の傾斜角度は第１面の傾斜角度より大きく設定し、第３面はほぼ垂直面に設定し、それぞれの面を滑らかに接続し、蓋本体の外周面は前記受け枠内周面に嵌合するように３面に形成し、受け枠の第１面と蓋本体の第１面とは完全に嵌合する直径および傾斜角度に設定し、蓋本体の第２面は受け枠との間隙が１〜２ｍｍとなる傾斜角度に設定し、蓋本体の第３面は受け枠との間隙が０．５ｍｍ以下となるほぼ垂直面に設定した地下構造物用円形蓋であるので、地下構造物用円形蓋本体が、受け枠に過剰に食い込み蓋本体が開かなくなる、錆付きにより開蓋作業が困難であるなどの問題点を解決することができる。
【発明を実施するための最良の形態】
【００１０】
図２に、本発明の地下構造物用円形蓋の平面図と断面図を示す。
【００１１】
請求項１の本発明は、円形状の受け枠１と、受け枠１の上部開口を開閉する蓋本体２と、受け枠１と蓋本体２とを連結する蝶番３と、蓋本体１の蝶番３と対向する周縁にバール孔４を刻設した地下構造物用円形蓋において、受け枠１内周面を上部より内側に向かって階段状の５面６・７・８・９・１０に形成し、図３に示すように、最上部の第１面６を垂直面に対して１０°〜１５°の傾斜角度に設定し、第２面７の傾斜角度は第１面６の傾斜角度より大きく設定し、第３面８はほぼ垂直面に設定し、第４面９は第２面７の傾斜角度とほぼ同じ傾斜角度に設定し、第５面１０はほぼ垂直面に設定し、それぞれの面を滑らかに接続し、蓋本体２の外周面は前記受け枠１内周面に接合するように５面１１・１２・１３・１４・１５に形成し、受け枠１の第１面６と蓋本体２の第１面１１とは完全に嵌合する直径および傾斜角度に設定し、蓋本体２の第２面１２と第４面１４は受け枠１との間隙が１〜２ｍｍとなる傾斜角度に設定し、蓋本体２の第３面１３と第５面１５は受け枠１との間隙が０．５ｍｍ以下となるほぼ垂直面に設定した地下構造物用円形蓋である。
【００１２】
上記の構造で、蓋本体２は最上部の蓋本体２の第１面１１と受け枠１の第１面６の傾斜角度は異なるが、勾配受け構造となっており、蓋本体２のガタツキが防止できる。
【００１３】
傾斜角度が垂直面に対して１０°〜１５°（従来方式は５°〜１０°）としたため、過剰の食い込みが起こりにくく、開蓋が容易になる。例え食い込みが進んだとしても、受け枠１の第２面７・蓋本体２の第２面１２の傾斜角度のより大きい傾斜面でそれ以上の食い込みを防ぐことができる。
【００１４】
蓋嵌合面の上部の受け枠１の第１面６・蓋本体２の第１面１１の傾斜角度を１０°〜１５°としたため、蓋本体２の周辺部１箇所に荷重が掛かったときに、蓋本体２が荷重位置の反対側にずり上がる可能性がある。
【００１５】
その対策として上部から３番目の面（８・１３）および５番目の面（１０・１５）を受け枠１・蓋本体２ともほぼ垂直面（以降、垂直面という）とした。垂直面の受け枠１と蓋本体２の隙間は０に近い方が蓋本体２のずり上がり防止には効果的であるが、蓋本体２を水平の状態で持ち上げて開蓋することは普通行わず、蓋本体２のバール挿入口１箇所をバールでこじ開けて開蓋されるので蓋本体２は傾斜状態になり、隙間が無いと垂直面が干渉して開蓋が困難になる。そこで、その隙間は０．５ｍｍ以下の隙間を設けた。
【００１６】
また、垂直面は下方にあるほど蓋本体２のずり上がり防止の効果が大きいが、蓋本体２の直径にも関係するので、垂直面の位置と蓋本体２の大きさを考慮して垂直面の蓋本体２と受け枠１の隙間を０．５ｍｍ以下の範囲で決定し、蓋本体２周辺部１箇所に荷重が掛かったような場合、蓋本体２が横ずれ又はずり上がりをするのを最小限にすると同時に開蓋に支障が無いようにする。
【００１７】
図４は、本発明の受け枠１に蓋本体２を嵌め合わせた状態を示す。
【００１８】
また、請求項２の本発明は、図５に示す円形状の受け枠１と、受け枠１の上部開口を開閉する蓋本体２と、受け枠１と蓋本体２とを連結する蝶番３と、蓋本体２の蝶番３と対向する周縁にバール孔４を刻設した地下構造用円形蓋において、受け枠１内周面を上部より内側に向かって階段状の３面６・７・８に形成し、最上部の第１面６を垂直面に対して１０°〜１５°の傾斜角度に設定し、第２面７の傾斜角度は第１面６の傾斜角度より大きく設定し、第３面８はほぼ垂直面に設定し、それぞれの面を滑らかに接続し、蓋本体２の外周面は前記受け枠１内周面に嵌合するように３面１１・１２・１３に形成し、受け枠１の第１面６と蓋本体２の第１面１１とは完全に嵌合する直径および傾斜角度に設定し、蓋本体２の第２面１２は受け枠１との間隙が１〜２ｍｍとなる傾斜角度に設定し、蓋本体２の第３面１３は受け枠１との間隙が０．５ｍｍ以下となるほぼ垂直面に設定した地下構造物用円形蓋である。
【００１９】
歩道、路肩、交通量の少ない道路など、蓋に掛かる荷重が小さい場所に設置する地下構造物用円形蓋は、図５に示すように、蓋本体２および受け枠１の４番目と５番目の嵌合面を省略してもよい。
【００２０】
本発明は、蓋本体２の外周側面上部傾斜面と、受け枠１の内周面最上部傾斜面のみがテーパー嵌合され、その角度は垂直面に対して１０°〜１５°に形成しているので、適度な食い込みで蓋本体２のガタツキを防止し、過剰な蓋本体２の食い込みを防止して開蓋を容易にする。
【００２１】
テーパー嵌合部が、蓋本体２、受け枠１の嵌合部の２分の１以下になっているので、錆付きによる開蓋時の摩擦抵抗が従来のものより低くすることができる。
【００２２】
蓋本体２と受け枠１のテーパー嵌合部が最上部にあるので、蓋本体２と受け枠１の上面には隙間がないため土砂などの噛み込みが起こらず、土砂や、異物の噛み込みによる蓋本体２のガタツキが発生しない。これは従来の地下構造物用蓋と同じであるが、特許文献２の特開２００５−０４８４７９と違う点である。
【００２３】
蓋本体２と受け枠１の嵌合部下方に垂直部を設け、蓋本体２と受け枠１の隙間を０．５ｍｍ以下にすることで、蓋本体２の周辺１箇所に荷重がかかった場合の蓋本体２のずり上がりを最小限にすることができる。
【００２４】
受け枠１の蓋本体２との嵌合面は階段状に縮径しているので、閉蓋時に蓋本体２が所定の位置に滑り込みやすい。従って、閉蓋時、蓋本体２が半閉じの状態で受け枠１に噛み混んで動かなくなり、蓋本体２のバール孔４以外の場所をこねたり、手で持ち上げなければならないという作業が不要になる。
【産業上の利用可能性】
【００２５】
本発明による地下構造物用円形蓋は、路面設置蓋として使用可能である。特に、消火栓蓋のように開蓋に緊急を要するものの場合、開蓋が容易で、かつ車両通行によるガタツキが発生しにくい蓋として利用できる。
【図面の簡単な説明】
【００２６】
【図１】従来の地下構造物用円形蓋の要部断面図である。
【図２】本発明の地下構造物用円形蓋の平面図および断面図である。
【図３】本発明の開蓋時の蓋本体と受け枠の要部断面図である。
【図４】本発明の閉蓋時の要部断面図である。
【図５】本発明の垂直部を１箇所に省略した要部断面図である。
【符号の説明】
【００２７】
１…受け枠
２…蓋本体
３…蝶番
４…バール孔
６…第１面（受け枠）
７…第２面（受け枠）
８…第３面（受け枠）
９…第４面（受け枠）
１０…第５面（受け枠）
１１…第１面（蓋本体）
１２…第２面（蓋本体）
１３…第３面（蓋本体）
１４…第４面（蓋本体）
１５…第５面（蓋本体）
【図１】
2008285911.tif 000003
【図２】
2008285911.tif 000004
【図３】
2008285911.tif 000005
【図４】
2008285911.tif 000006
【図５】
2008285911.tif 000007